(57)【要約】【課題】掃除機本体の持ち運びのために大きく屈むことなくハンドルを掴むことができる電気掃除機を提供すること。【解決手段】集塵室及び該集塵室に吸込負圧を作用させる電動送風機２４を有する掃除機本体１と、掃除機本体１に上下動可能に装着された持ち運び用のハンドル１７と、一端部が前記集塵室に接続された集塵ホース４と、集塵ホース４の他端部に設けられた手元操作パイプ５を備えている。しかも、ハンドル１７を上昇駆動する駆動モータ２０が掃除機本体１に設けられ、手元操作パイプ５に駆動モータ２０を動作させる上昇スイッチ２６が設けられている。【選択図】図２
2008023136.tif 000002
【特許請求の範囲】
【請求項１】
集塵室及び該集塵室に吸込負圧を作用させる電動送風機を有する掃除機本体と、前記掃除機本体に上下動可能に装着された持ち運び用のハンドルと、一端部が前記集塵室に接続された集塵ホースと、前記集塵ホースの他端部に設けられた手元操作パイプを備える電気掃除機において、
前記ハンドルを上昇駆動する駆動手段が前記掃除機本体に設けられ、前記手元操作パイプに前記駆動手段を動作させるハンドル用スイッチが設けられていることを特徴とする電気掃除機。
【発明の詳細な説明】
【技術分野】
【０００１】
この発明は、持ち運び用のハンドルが掃除機本体に上下動自在に設けられた電気掃除機に関するものである。
【背景技術】
【０００２】
従来の電気掃除機には、集塵室及びこの集塵室に吸込負圧を作用させる電動送風機が内蔵された掃除機本体と、掃除機本体の集塵室に連通する接続口に一端部が接続された集塵ホースと、集塵ホースの他端部に設けられた手元操作パイプと、この手元操作パイプに接続された延長パイプと、この延長パイプに接続された吸込口体を備えるキャニスタータイプのものがある（例えば、特許文献１参照）。
【０００３】
このような電気掃除機では、手元操作パイプに電動送風機をＯＮ・ＯＦＦさせるスイッチを設けているものが普通である。そして、このスイッチで電動送風機を作動させると、電動送風機の吸込負圧が集塵室，集塵ホース，手元操作パイプ，延長パイプを介して吸込口体内の吸込室に作用して、この吸込口体の下面の吸込口から吸込室に塵埃が空気と共に吸い込まれるようになっている。そして、吸込室に吸い込まれた塵埃は、延長パイプ，手元操作パイプ，集塵ホースを介して集塵室に吸い込まれて捕集される。
【０００４】
従って、使用者が立った状態で手元操作パイプを握って、この手元操作パイプで吸込口体を清掃面上で前後に移動操作することより、清掃面の塵埃が掃除機本体内の集塵室に捕集される。
【０００５】
ところで、このようなキャニスタータイプの電気掃除機では、掃除機本体の上面に持ち運び用のハンドルを前後に起倒自在に装着しているのが普通である。しかも、ハンドルは掃除機本体の上面に設けられた凹部内に収納されるようになっているものが多い。
【特許文献１】特開２００１−１５７６５４号公報
【発明の開示】
【発明が解決しようとする課題】
【０００６】
このような電気掃除機を清掃終了後に運んで収納したりする場合、作業者は大きく屈んでハンドルを起立させ、ハンドルを掴んで掃除機本体を持ち上げる必要があったため、電気掃除機の収納作業が容易ではなかった。
【０００７】
そこで、この発明は、掃除機本体の持ち運びのために大きく屈むことなくハンドルを掴むことができる電気掃除機を提供することを目的とするものである。
【課題を解決するための手段】
【０００８】
この目的を達成するため、この発明は、集塵室及び該集塵室に吸込負圧を作用させる電動送風機を有する掃除機本体と、前記掃除機本体に上下動可能に装着された持ち運び用のハンドルと、一端部が前記集塵室に接続された集塵ホースと、前記集塵ホースの他端部に設けられた手元操作パイプを備える電気掃除機において、前記ハンドルを上昇駆動する駆動手段が前記掃除機本体に設けられ、前記手元操作パイプに前記駆動手段を動作させるハンドル用スイッチが設けられている電気掃除機としたことを特徴とする。
【発明の効果】
【０００９】
この構成によれば、手元操作パイプに設けられたハンドル用スイッチを操作すると、駆動手段が動作して持ち運び用のハンドルが上昇させられるので、ハンドルを起立させたりする作業が必要なくなり、掃除機本体の持ち運びのために大きく屈むことなくハンドルを掴むことができる。
【発明を実施するための最良の形態】
【００１０】
以下、この発明の実施の形態を図面に基づいて説明する。
[構成]
図１において、１は掃除機本体、１ａは掃除機本体１の本体ケース、２は上方に取出可能に本体ケース１ａの前部に装着された集塵容器である。この集塵容器２内には図示を省略した集塵室が設けられている。また、本体ケース１ａの後部内には、集塵容器２の集塵室（図示せず）に吸込負圧を作用させる電動送風機（図示せず）が内蔵されている。尚、Ｐｃは掃除機本体１の電源コード、Ｐは電源コードＰｃのプラグである。
【００１１】
また、本体ケース１ａの前端部には集塵容器２の図示しない集塵室に連通する接続口３が設けられていて、この接続口３には集塵ホース４の一端部が着脱可能に接続されている。
【００１２】
この集塵ホース４の他端部には手元操作パイプ５が設けられ、手元操作パイプ５には延長パイプ６を介して吸込口体７が接続されている。この吸込口体７内には延長パイプ６に連通する吸込室（図示せず）が設けられ、この吸込室の吸込開口は吸込口体の下面に開口している。
【００１３】
また、本体ケース１ａの上壁には、図１に示した左右方向に延びるハンドル用凹部８と、図２に示したようにハンドル用凹部８に形成された出没孔９が形成されている（図３，図４参照）。
【００１４】
しかも、掃除機本体１内には出没孔９に対応して上下に延びるガイド部１０が設けられ、このガイド部１０内にはガイド孔１１が形成されている。このガイド孔１１は、上下に延びるガイド孔部１１ａと、ガイド部１０の上壁１０ａに形成されたガイド孔部１１ｂを有する。
【００１５】
このガイド孔１１内には、上下に伸縮自在なハンドル支持部材１２が配設されている。このハンドル支持部材１２は、上壁１３ａを有し且つ下端部外周に係止フランジ（係止部）１３ｂを有する支持筒（第１支持部材）１３と、支持筒１３内に一部が配設された支持軸１４を有する。
【００１６】
この支持筒１３はガイド孔部１１ｂに上下動自在に嵌合され、この支持筒１３の係止フランジ１３ｂはガイド孔部１１ａに上下動自在に嵌合されている。尚、ガイド孔部１１ａ内には、支持筒１３の上端が上壁１０ａの上端と略一致したときに、係止フランジ１３ｂを係止させる突部（ストッパ部）１５が形成されている。
【００１７】
また、支持軸１４は、支持筒１３の上壁１３ａを貫通する小径軸部１４ａと、この小径軸部１４ａの下端に連設された大径軸部１４ｂを有する。そして、この軸部１４ａ，１４ｂ間には係止段部１４ｃが形成されている。この支持軸１４内には、上下に延びる雌ネジ穴１６が形成されている。
【００１８】
尚、支持筒１３はガイド孔１１に対して軸線回りに回転しないように設けられ、支持軸１４は支持筒１３に対して相対回転しないように設けられている。この構成としては、キーとキー溝による回転防止構造を利用することもできるし、支持筒１３，ガイド孔１１，支持軸１４等を多角形に形成することで実現することもできる。
【００１９】
更に、支持軸１４の上端部には掃除機本体１を持ち運びするためのハンドル１７が一体に設けられている。また、ガイド部１０の上端部には、支持筒１３の係止フランジ１３ｂを検出する検出スイッチ１８が取り付けられている。
【００２０】
また、雌ネジ穴１６内には送りネジ１９が螺着されている。この送りネジ１９の下方にはパルスモータ等の駆動モータ２０が配設されている。更に、図５に示したように駆動モータ２０の出力軸２０ａに連結筒２１の下端部が固定され、この連結筒２０ａ内には送りネジ１９の下端部が上下動自在に嵌合されている。
【００２１】
しかも、連結筒２１内には上下に延びるキー溝２２が形成され、このキー溝２２には送りネジ１９の下端部に突設したガイド突起２３が上下動自在に係合されている。これにより、連結筒２１と支持軸１４は軸線回りに相対回転しないようになっている。
【００２２】
尚、図１では電動送風機の図示を省略したが、図６に示した電動送風機２４が図１の掃除機本体１内に設けられる。この電動送風機２４は、手元操作パイプ５の操作パネルＣｐに設けた「弱／中」吸込風量切り替え用のスイッチＳ１，「強」吸込風量用のスイッチＳ２からの操作信号（ＯＮ・ＯＦＦ信号）が入力されると、制御回路２５により駆動制御されるようになっている。
【００２３】
即ち、制御回路２５は、スイッチＳ１は押す毎に電動送風機２４の吸込風量を「弱」と「中」とに交互に切り替え、スイッチＳ２をＯＮさせると電動送風機２４の吸込風量を「強」にするようになっている。しかも、制御回路２５は、「切り」スイッチＳ３を押すと、電動送風機２４をＯＦＦさせるようになっている。
【００２４】
また、制御回路２５には、検出スイッチ１８，ハンドルの上昇スイッチ（ハンドル用スイッチ）２６及び収納スイッチ２７からの信号が入力されるようになっている。更に、この制御回路２５は、上昇スイッチ２６からのＯＮ信号が入力されると、駆動モータ２０を正転させて送りネジ１９により支持軸１４を上昇させるようになっている。制御回路２５は、収納スイッチ２７からのＯＮ信号が入力されると、駆動モータ２０を逆転させて、送りネジ１９により支持軸１４を降下させるようになっている。
[作用]
次に、このような構成の電気掃除機の作用を説明する。
【００２５】
このような構成において、プラグＰを商用電源のコンセント（図示せず）に差し込んで、手元操作パイプ５に設けた「弱／中」吸込風量切り替え用のスイッチＳ１又は「強」吸込風量用のスイッチＳ２をオン操作すると、制御回路２５が電動送風機２４を作動させ、電動送風機２４の吸込負圧を集塵容器２の集塵室（図示せず）に作用させる。この集塵室に作用する吸込負圧は、図１の集塵ホース４，手元操作パイプ５，延長管６を介して吸込口本体７の吸込室（図示せず）に作用する。
【００２６】
これにより清掃面の塵埃は、吸込口本体７の吸込室（図示せず）に空気と共に吸い込まれる。この吸い込まれた塵埃は、延長管６，手元操作パイプ５，集塵ホース４を介して集塵容器２の集塵室（図示せず）に吸い込まれて捕集されることになる。
【００２７】
このような状態において電気掃除機の使用者は、立った状態で手元操作パイプ５を掴んで吸込口体７を前後・左右に移動操作して、清掃面の掃除を行うことになる。そして、清掃が終了後には、電気掃除機を収納するために、掃除機本体１を収納場所まで移動させる必要がある。
【００２８】
この場合に使用者は、立った状態で手元操作パイプ５に設けた上昇スイッチ２６をＯＮさせ、このＯＮ信号を制御回路２５に入力させる。これにより、制御回路２５は、図２の状態から駆動モータ２０が駆動して、その出力軸２０ａ及び連結筒２１を正転させる。そして、この回転は、キー溝２２とガイド突起２３を介して送りネジ１９に伝達させられ、送りネジ１９により支持軸１４が図３のように上昇させられる。
【００２９】
これに伴い、図３に示したように支持軸１４の係止段部１４ｃが支持筒１３の上壁１３ａに当接して、支持筒１３を支持軸１４と一体に上昇させ、最終的には図４に示したように支持筒１３の係止フランジ１３ｂをガイド部１０の上壁１０ａ近傍まで移動させる。そして、この係止フランジ１３ｂが検出スイッチ１８をＯＮさせると、制御回路２５は駆動モータ２０を停止させる。この停止位置では、係止フランジ１３ｂがガイド部１０の上壁１０ａに略当接する位置まで上昇させられている。
【００３０】
この状態では支持筒１３及び支持軸１４を備える伸縮自在なハンドル支持部材１２が上方に最大に伸長して、この支持軸１４の上端部に設けられたハンドル１７が最大に上昇させられている。
【００３１】
この位置で使用者は、プラグＰを商用電源（図示せず）から抜き取り、ハンドル１７を掴んで掃除機本体１を収納場所まで移動させる。この際、使用者は、ハンドル１７を掴むために屈んでも、ハンドルを起立させたりする作業を行う場合に比べて、屈む量が少なくて済むことになるので、重い掃除機本体１を持ち上げる場合でも負担が少なくなる。
【００３２】
そして、この状態でハンドル１７を掴んで持ち上げると、支持筒３の係止フランジ１３ｂがガイド部１０の上壁１０ａに当接するまで、支持軸１４の下端部が連結筒２１内を僅かに上昇する。この係止フランジ１３ｂが上壁１０ａに当接した後は、この係止フランジ１３ｂと上壁１０ａを介して掃除機本体１が持ち上げられることになり、この状態で掃除機本体１を収納場所まで持ち運び移動させる。この結果、ハンドル１７により掃除機本体１を持ち上げても、送りネジ１９には掃除機本体１の重量が作用しないので、送りネジ１９に無理な力が作用しない。
【００３３】
そして、収納場所において、ハンドル１７を収納する場合には、プラグＰを商用電源のコンセント（図示せず）に接続して、手元操作パイプ５の収納スイッチ２７をＯＮさせる。これにより、制御回路２５は、駆動モータ２０を所定時間だけ逆転させて、送りネジ１９により支持軸１４を降下させ、図２の収納位置までハンドル１７を降下させる。
【００３４】
この後、使用者は、掃除機本体１が収納場所に配設されている場合には、プラグＰを商用電源のコンセント（図示せず）から抜き取り、電気掃除機の収納を完了させる。また、掃除機本体１が収納場所の知覚まで移動させられている状態では、プラグＰを商用電源のコンセント（図示せず）から抜き取り、掃除機本体１を収納場所に収納して、電気掃除機の収納を完了させる。
（変形例）
以上説明した実施例では、駆動モータ２０によりハンドル１７の上昇・降下を行うようにしたが、必ずしもこれに限定されるものではない。
【００３５】
例えば、図７に示したように、支持軸１４をコイルスプリング（付勢手段）３０で上方に上昇させることにより、ハンドル１７を上昇させるようにすると共に、ハンドル１７を収納させる際には、ハンドル１７をコイルスプリング３０のバネ力に抗して収納位置まで押し下げるようにしても良い。
【００３６】
この場合、支持軸１４の下端部に係止突部３１を設けると共に、ハンドル１７を収納位置まで押し下げて、係止突部３１を降下させたときに、この降下した位置の係止突部３１に対応する部分にソレノイド３２を配設して、ソレノイド３２の係止ロッド３２ａにより、降下する係止突部３１を上側から係止させるようにしても良い。
【００３７】
この為には、ソレノイド３２の係止ロッド３２ａを図示しないスプリングで常時突出する方向に付勢させておき、ソレノイド３２に通電されたときに係止ロッド３２ａがソレノイド３２の本体３２ｂ内に没入するようにしておく。しかも、係止突部３１には下向きの傾斜ガイド３１ａを形成し、係止ロッド３２ａには上向きの傾斜ガイド３２ｃを形成しておく。
【００３８】
このような構成により、支持軸１４を降下させて、係止突部３１の傾斜ガイド３１ａを係止ロッド３２ａの傾斜ガイド３２ｃに当接させた後、さらに支持軸１４を押し下げると、係止ロッド３２ａが傾斜ガイド３１ａ，３２ｃの作用により図示しないスプリングのバネ力に抗して本体３２ｂに移動させられる。そして、係止突部３１が係止ロッド３２ａを乗り越えて下方に移動すると、係止ロッド３２ａが図示しないスプリングのバネ力により突出させられる。この状態で、支持軸１４から押し下げ力を解除すると、係止突部３１はコイルスプリング３０により係止ロッド３２ａに係合させられるので、係止突部３１が係止ロッド３２ａに係止された状態となる。
【００３９】
また、上述した手元操作パイプ５には図７の係止解除スイッチ（ハンドル用スイッチ）３３を設けると共に、この係止解除スイッチ３３からのＯＮ信号を制御回路２５に入力させ、このＯＮ信号が入力されると制御回路２５がソレノイド３２に通電して、ソレノイド３２の係止ロッド３２ａを本体３２ｂ内に没入させるようになっている。
【００４０】
これに伴い、係止ロッド３２ａによる係止突部３１の係止が解除されて、支持軸１４がコイルスプリング３０のバネ力により上昇させられ、支持軸１４のハンドル１７が図４で示した位置まで上昇させられる。尚、コイルスプリング３０，係止突部３１及びソレノイド３２等はハンドル１７を収納位置から上昇駆動させる駆動手段Ｄを構成している。
【００４１】
以上説明したように、この発明の実施の形態の電気掃除機は、集塵室及び該集塵室に吸込負圧を作用させる電動送風機２４を有する掃除機本体１と、前記掃除機本体１に上下動可能に装着された持ち運び用のハンドル１７と、一端部が前記集塵室に接続された集塵ホース４と、前記集塵ホース４の他端部に設けられた手元操作パイプ５を備えている。しかも、前記ハンドル１７を上昇駆動する駆動手段（駆動モータ２０，駆動手段Ｄ）が前記掃除機本体１に設けられ、前記手元操作パイプ５に前記駆動手段（駆動モータ２０，駆動手段Ｄ）を動作させるハンドル用スイッチ（上昇スイッチ２６、係止解除スイッチ３３）が設けられている。
【００４２】
この構成によれば、手元操作パイプ５に設けられたハンドル用スイッチを操作すると、駆動手段が動作して持ち運び用のハンドル１７が上昇させられるので、ハンドルを起立させたりする作業が必要なくなり、掃除機本体１の持ち運びのために大きく屈むことなくハンドルを掴むことができる。
【図面の簡単な説明】
【００４３】
【図１】この発明に係る電気掃除機の概略斜視図である。
【図２】図１のＡ１−Ａ１線に沿う断面図である。
【図３】図２のハンドル支持部材の動作説明図である。
【図４】図２のハンドル支持部材が最大に伸長したときの説明図である。
【図５】図１の電気掃除機の制御回路図である。
【図６】図２の駆動モータと送りネジとの連結部の説明図である。
【図７】この発明の他の例を示す要部説明図である。
【符号の説明】
【００４４】
１・・・掃除機本体
４・・・集塵ホース
５・・・手元操作パイプ
１７・・・ハンドル
２０・・・駆動モータ（駆動手段）
２４・・・電動送風機
２６・・・上昇スイッチ（ハンドル用スイッチ）
３３・・・係止解除スイッチ（ハンドル用スイッチ）
Ｄ・・・駆動手段
【図１】
2008023136.tif 000003
【図２】
2008023136.tif 000004
【図３】
2008023136.tif 000005
【図４】
2008023136.tif 000006
【図５】
2008023136.tif 000007
【図６】
2008023136.tif 000008
【図７】
2008023136.tif 000009